(57)【要約】【課題】利き手に関係なく片手で操作でき、使い勝手の良い化粧品ケースを得る。【解決手段】パレット１４がケース１６内に収納されたとき、パレット１４に設けられた爪部６２の自由端部は、ケース１６の長孔部３６の内縁部に係止される。また、ぜんまいばね５８は巻締った状態となっており、パレット１４がケース１６から押し出される方向にギヤ５６へ回転力を付与する弾性力が蓄積された状態となっている。この状態で、釦部３８を押圧すると、釦部３８の突設部４４を介して爪部６２が押圧され、ケース１６の長孔部３６の内縁部から係止解除され、ぜんまいばね５８の復元力により、ギヤ５６が回転し、ピニオン５４を介して、パレット１４がケース１６から押し出される。このように、釦部３８を押圧するだけで、自動的にパレット１４がスライドしてケース１６から押し出されるため、操作が簡単であると共に、利き手に関係なく片手で操作でき、使い勝手が良い。【選択図】図３
2007175427.tif 000002
【特許請求の範囲】
【請求項１】
携帯ケースに対してスライドして収納され、化粧剤が収容される収容部が凹設されたパレットと、
前記携帯ケースと前記パレットとの間に設けられ、前記パレットを前記携帯ケースから押し出す方向へ付勢する付勢手段と、
前記パレットが前記携帯ケース内へ収納された状態でパレットをロックし、押圧力によって前記パレットのロック状態を解除するロック手段と、
前記ロック手段によるロック状態が解除されたとき、前記パレットを所定位置で停止させるストッパーと、
を有することを特徴とする化粧品ケース。
【請求項２】
前記携帯ケースにラックを形成し、前記パレットに前記ラックとかみ合って回転するギヤを設け、
前記付勢手段が、一端部が前記パレットに固定され、他端部が前記ギヤに装着されて、パレットが前記携帯ケース内に収納されると巻締まり、パレットが携帯ケースから押し出される方向にギヤへ回転力を付与するぜんまいばねであることを特徴とする請求項１に記載の化粧品ケース。
【請求項３】
前記ギヤに前記パレットのスライド移動を減速させる減速ギヤを噛み合わせたことを特徴とする請求項２に記載の化粧品ケース。
【請求項４】
前記ロック手段が、
箱状の前記携帯ケースの側面に形成された第１孔部と、
前記第１孔部内に、携帯ケースの内側へ揺動可能に設けられた釦部と、
前記パレットの側面に形成された第２孔部と、
前記第２孔部内に設けられ、パレットが前記携帯ケース内に収納されたとき、前記第１孔部の内壁面に係止されてパレットをロックし、前記釦部に押されてパレットの内側へ揺動し、前記第１孔部の内壁面とのロック状態から解除される爪部と、
を含んで構成されたことを特徴とする請求項１〜３の何れか１項に記載の化粧品ケース。
【発明の詳細な説明】
【技術分野】
【０００１】
本発明は、例えば口紅やアイシャドー等の化粧剤を収容するパレット状の化粧品ケースに関するものである。
【背景技術】
【０００２】
口紅やアイシャドー等の化粧剤を収容するパレット状の化粧品ケースは、複数の口紅やアイシャドー等を収容する本体部と、ヒンジ部を中心に本体部に対して開閉可能に設けられた蓋体と、で構成されており、蓋体が閉止された状態で蓋体は本体部に対してロックされた状態となる。そして、ロック状態を解除すると、蓋体が開放可能となり、本体部に収容された口紅やアイシャドー等が使用可能となる。
【０００３】
例えば、特許文献１では、本体側と蓋側にそれぞれ突起部を設け、蓋体側の突起部が本体側の突起部の下部に位置した状態（係合された状態）で、蓋体が閉止される。この状態から、蓋体を開放させるときは、本体側では下方向への外力を作用させ、蓋体側では上方向の外力を作用させると共に、本体側と蓋体側とで左右方向への捩り力を作用させる。これにより、本体側と蓋側の突起部同士の係合状態が解除される。
【０００４】
しかしながら、本体側と蓋体側とで押圧する部位は、蓋体の自由端部側を手前に置いた状態で、本体側が右側、蓋体側が左側に位置している。このため、左利きの人がこの蓋体を開放させようとした場合、本体側には下方向への外力、蓋体側には上方向への外力を作用させようとすると、蓋体の移動軌跡上に左手が位置することとなり、蓋体の開放が容易ではなく、使い勝手が良くない。
【０００５】
このため、特許文献２では、複数の口紅やアイシャドー等の化粧剤を収容する本体部に対して、蓋体をスライド式に係合させている。蓋体の外面には、滑り止めが設けられており、蓋体を指で開け閉めしやすくしている。このように、本体部に対して蓋体をスライドさせるだけなので、利き手に関係なく使用することができるが、本体部を一方の手で把持した状態で、他方の手で蓋体をスライドさせるため、少なくとも本体部の開放時には両手が塞がってしまう。
【特許文献１】特許２００３−２８９９３６号公報
【特許文献２】実開平７−２０１１１号公報
【発明の開示】
【発明が解決しようとする課題】
【０００６】
本発明は上記事実を考慮し、利き手に関係なく片手で操作でき、使い勝手の良い化粧品ケースを提供することを課題とする。
【課題を解決するための手段】
【０００７】
請求項１に記載の発明は、化粧品ケースにおいて、携帯ケースに対してスライドして収納され、化粧剤が収容される収容部が凹設されたパレットと、前記携帯ケースと前記パレットとの間に設けられ、前記パレットを前記携帯ケースから押し出す方向へ付勢する付勢手段と、前記パレットが前記携帯ケース内へ収納された状態でパレットをロックし、押圧力によって前記パレットのロック状態を解除するロック手段と、前記ロック手段によるロック状態が解除されたとき、前記パレットを所定位置で停止させるストッパーと、を有することを特徴とする。
【０００８】
請求項１に記載の発明では、化粧剤が収容される収容部が凹設されたパレットをスライドさせて携帯ケース内に収納可能としている。また、携帯ケースとパレットとの間には付勢手段を設けており、パレットを携帯ケースから押し出す方向へ付勢している。さらに、パレットが携帯ケース内へ収納された状態でパレットをロックし、押圧力によってパレットのロック状態を解除するロック手段を設けている。
【０００９】
そして、ロック手段によるロック状態が解除されると、付勢手段によって、パレットが携帯ケースから押し出されることとなるが、ストッパーによって、パレットが所定位置で停止し、パレットの携帯ケースからの抜け出しを防止する。
【００１０】
このように、押圧力によってパレットのロック状態を解除させるため、化粧品の使用時に、ロック手段を押圧するだけで、付勢手段によって自動的にパレットがスライドして携帯ケースから押し出されることとなり、操作が簡単であると共に、利き手に関係なく片手で操作でき、使い勝手が良い。
【００１１】
請求項２に記載の発明は、請求項１に記載の化粧品ケースにおいて、前記携帯ケースにラックを形成し、前記パレットに前記ラックとかみ合って回転するギヤを設け、前記付勢手段が、一端部が前記パレットに固定され、他端部が前記ギヤに装着されて、パレットが前記携帯ケース内に収納されると巻締まり、パレットが携帯ケースから押し出される方向にギヤへ回転力を付与するぜんまいばねであることを特徴とする。
【００１２】
請求項２に記載の発明では、携帯ケースにラックを形成し、パレットには該ラックとかみ合って回転するギヤを設けている。ここで、付勢手段をぜんまいばねとし、ぜんまいばねの一端部をパレットに固定して、ぜんまいばねの他端部を、ギヤに装着する。
【００１３】
そして、パレットのスライド移動によって、ラックを介してギヤが回転し、これに伴って、ぜんまいばねが巻締まり、或いは巻弛みすることとなる。
【００１４】
具体的には、パレットを携帯ケース内に収納した状態で、ぜんまいばねは巻締まり、パレットが携帯ケースから押し出される方向にギヤへ回転力を付与する弾性力が蓄積される。そして、ロック手段によるロック状態を解除すると、ぜんまいばねは復元して巻弛み、パレットが携帯ケースから押し出される方向にギヤを回転させ、ラックを介してパレットを携帯ケースから押し出す。
【００１５】
このように、付勢手段として、ぜんまいばねを使用することで、例えば、コイルばねや板バネと比較して、パレットのストロークを増大させることができる。
【００１６】
また、ぜんまいばねの他端部をギヤに装着することで、ギヤとラックによる歯面間の接触によりトルクを増大させることができる。このため、ぜんまいばねの復元時に減衰力を作用させることができ、パレットを静かにスライド移動させ、高級感を与えることができる。
【００１７】
請求項３に記載の発明は、請求項２に記載の化粧品ケースにおいて、前記ギヤに前記パレットのスライド移動を減速させる減速ギヤを噛み合わせたことを特徴とする。
【００１８】
請求項３に記載の発明では、ギヤにパレットのスライド移動を減速させる減速ギヤを噛み合わせることで、請求項２に記載の発明と比較して、パレットをさらに静かにスライド移動させることができる。
【００１９】
請求項４に記載の発明は、請求項１〜３の何れか１項に記載の化粧品ケースにおいて、前記ロック手段が、箱状の前記携帯ケースの側面に形成された第１孔部と、前記第１孔部内に、携帯ケースの内側へ揺動可能に設けられた釦部と、前記パレットの側面に形成された第２孔部と、前記第２孔部内に設けられ、パレットが前記携帯ケース内に収納されたとき、前記第１孔部の内壁面に係止されてパレットをロックし、前記釦部に押されてパレットの内側へ揺動し、前記第１孔部の内壁面とのロック状態から解除される爪部と、を含んで構成されたことを特徴とする。
【００２０】
請求項４に記載の発明では、携帯ケースの側面には第１孔部を形成し、該第１孔部内には釦部を設けて、携帯ケースの内側へ揺動可能としている。一方、パレットの側面には第２孔部を形成し、該第２孔部内には爪部を設けて、パレットの内側へ揺動可能としている。
【００２１】
この爪部は、パレットが携帯ケース内に収納されたとき、第１孔部の内壁面に係止され、パレットの移動を規制している。そして、この状態で、釦部を押すと、爪部はパレットの内側へ揺動し、第１孔部の内壁面とのロック状態が解除され、ぜんまいばねの付勢力によって、パレットが携帯ケースから押し出される。
【発明の効果】
【００２２】
本発明は、上記構成としたので、化粧品の使用時に、ロック手段を押圧するだけで、付勢手段によって自動的にパレットがスライドして携帯ケースから押し出されるため、操作が簡単であると共に、利き手に関係なく片手で操作でき、使い勝手が良い。
【発明を実施するための最良の形態】
【００２３】
次に、本発明の実施形態に係る化粧品ケースについて説明する。
【００２４】
図１及び図２に示すように、化粧品ケース１０は、口紅、アイシャドー等の化粧剤を収容する収容部１２を有する略直方体状のパレット１４と、該パレット１４をスライド可能に収納するケース（携帯ケース）１６と、に大別される。
【００２５】
ケース１６は、断面が略コ字状に形成されたアッパーケース１６Ａとロアケース１６Ｂとで構成されており、ロアケース１６Ｂの中央部には、ロアケース１６Ｂの長手方向の略全域に渡って矩形凹部１８が形成されている。そして、矩形凹部１８の長手方向に沿った内縁部の一辺には、複数の装着ボス２０が立設している。
【００２６】
矩形凹部１８内には、矩形凹部１８の長手方向に沿って、ラック２２が形成された角状のラック部材２４が装着可能となっている。このラック部材２４には、装着ボス２０が嵌合可能な嵌合穴２６が形成されており、装着ボス２０に嵌合穴２６を嵌合させると、ラック部材２４がロアケース１６Ｂと一体になる。
【００２７】
ロアケース１６Ｂの両側壁の近傍には、側壁と平行にガイドリブ２１が長手方向の全域に渡って立設しており、パレット１４に形成されたガイド溝２３が係合可能となっている。このガイド溝２３をガイドリブ２１に係合させた状態でパレット１４はケース１６内をガイドリブ２１に沿ってスライドすることとなる。
【００２８】
また、アッパーケース１６Ａとロアケース１６Ｂの一端側には、位置決め溝２５が形成されている。この位置決め溝２５には、両端部が角丸めされた長板状の閉塞カバー３２の裏面側に形成された係合リブ２７が係合可能となっており、アッパーケース１６Ａとロアケース１６Ｂが一体になった状態で、ケース１６の一端側を塞ぐようにしている。
【００２９】
ここで、ロアケース１６Ｂの両側壁の先端面には、側壁の両端側に孔部２８が形成されており、孔部２８と孔部２８の間には、２つの溝部２９がそれぞれ形成されている。一方、アッパーケース１６Ａの両側壁の先端面には、ロアケース１６Ｂの、孔部２８と嵌合可能なボス３０と、溝部２９と嵌合可能なリブ３１がそれぞれ立設している。このボス３０及びリブ３１を孔部２８及び溝部２９に嵌合させた状態で、アッパーケース１６Ａとロアケース１６Ｂが一体となり、ケース１６の他端側は、開口部３４となる。
【００３０】
ケース１６の側壁の開口部３４側には、長手方向の両端部を円弧状とした長孔部３６がアッパーケース１６Ａ及びロアケース１６Ｂに渡って形成されており、長孔部３６には、該長孔部３６の形状に合わせて形成された釦部３８が配置可能となっている。
【００３１】
長孔部３６の長手方向の一端側（閉塞カバー３２側）には、軸支穴４２が形成されており、釦部３８の長手方向の一端部に凸設された軸部４０が係合可能となっている。この軸部４０が軸支穴４２内で軸支された状態で、軸部４０を中心に、釦部３８が揺動可能となる。
【００３２】
また、釦部３８の裏面側には、長手方向の他端側に、円柱状の突設部４４（図５（Ａ）参照）が凸設している。さらに、釦部３８の表面には、釦部３８の幅方向に沿って３本のリブ４６（図５（Ａ）参照）が形成され、指で触ったときの滑り止めとなっている。
【００３３】
なお、この釦部３８は、アッパーケース１６Ａとロアケース１６Ｂとを一体にさせる前に、一方の軸部４０をロアケース１６Ｂ側の軸支穴４２に係合させ、アッパーケース１６Ａとロアケース１６Ｂを一体にするときに、他方の軸部４０をアッパーケース１６Ａ側の軸支穴４２に係合させる。
【００３４】
一方、パレット１４の一端側には、ケース１６の外形と略同一の大きさに形成された前面カバー４８が設けられている。この前面カバー４８によってケース１６の開口部３４が塞がれることとなる。また、パレット１４の上面には、パレット１４の長手方向に沿って、略直方体状の収容部１２Ａ、１２Ｂが平行に凹設されている。この収容部１２Ａ、１２Ｂ内に口紅やアイシャドー等の化粧剤が収容可能となる。
【００３５】
また、パレット１４の上面の他端側は、フラット面となっており、裏面側には空洞部５０が設けられている。この空洞部５０にはギヤボックス５２が収納され、パレット１４に取付けられるようになっている。
【００３６】
ギヤボックス５２は平面視にて略正方形状の上ケース５２Ａと下ケース５２Ｂとを備えており、ギヤボックス５２内には回転可能に軸支されたシャフト５３、５５が配設されている。シャフト３３には、ラック２２とかみ合い可能なピニオン（ギヤ）５４が固定されており、シャフト３５にはピニオン５４とかみ合うギヤ（減速ギヤ）５６が固定されている。
【００３７】
また、下ケース５２Ｂの一辺には切欠き部５７が形成されており、切欠き部５７からはピニオン５４の一部が露出可能となっている。このピニオン５４の回転によって、ラック２２を介して、ギヤボックス５２がケース１６の矩形凹部１８内を摺動する。そして、このギヤボックス５２を介して、パレット１４がケース１６に対してスライドすることとなる。
【００３８】
ここで、ピニオン５４及びギヤ５６の上面には、板材５９が載置される。ギヤ５６のハブには、一対の弓形部６７Ａが立設し該弓形部６７Ａの下部を互いに架け渡した状態で形成された装着部６７が設けられており、板材５９には該装着部６７が挿通可能な挿通穴５９Ａやシャフト５３が挿通可能な挿通穴５９Ｂが形成されている。
【００３９】
また、下ケース５２Ｂには上ケース５２Ａに形成された嵌合穴（図示省略）との嵌合のため、嵌合ボス６１が立設しているが、この嵌合ボス６１が挿通可能な挿通穴５９Ｃも板材５９には形成されている。
【００４０】
そして、ピニオン５４及びギヤ５６の上面に板材５９が載置された状態で、板材５９の上面には、ぜんまいばね５８が配置される。このぜんまいばね５８の一端部は、ギヤ５６の装着部６７の弓形部６７Ａとシャフト５５との間に装着され、ぜんまいばね５８の他端部は、上ケース５２Ａに形成され平面視にて略コ字状に形成された装着部６３に装着される。
【００４１】
そして、ピニオン５４の回転によって、ギヤ５６が回転すると、これに伴って、ぜんまいばね５８が巻締まり（図４（Ａ）参照）、或いは巻弛み（図４（Ｂ）参照）することとなる。
【００４２】
一方、パレット１４の側壁には、パレット１４がケース１６内に収納された状態で、ケース１６の長孔部３６と対応する位置に矩形穴６０が形成されており、該矩形穴６０内には，平面視にて略Ｌ字状を成す爪部６２が配置可能となっている。
【００４３】
この矩形穴６０の一端側（閉塞カバー３２側）には、装着凹部６４が設けられており、該装着凹部６４には爪部６２の一端部が装着され、爪部６２の他端側（自由端部）がフリーとなっている。この爪部６２の自由端側を押圧すると、爪部６２には弾性力が蓄積され、押圧力を解除すると、復元して元の位置に戻る。
【００４４】
ここで、爪部６２の表面は、爪部６２の自由端側へ行くに従って外側に張り出しており、図５（Ａ）に示すように、パレット１４をケース１６内に収納した状態で、爪部６２の自由端部は、ケース１６の長孔部３６の内縁部に係止されるようになっている。このため、パレット１４はケース１６に対するスライド移動が規制される。
【００４５】
この状態から、図５（Ｂ）に示すように、釦部３８を押圧すると、釦部３８の裏面側に凸設された突設部４４が爪部６２に当接する（なお、図５（Ａ）に示すように、初めから釦部３８の突設部４４が爪部６２に当接した状態であっても良い）。そして、突設部４４を介して爪部６２を押圧すると、爪部６２の自由端部が長孔部３６の内縁部から係止解除される。これにより、パレット１４はケース１６に対してスライド可能となる。
【００４６】
ここで、パレット１４の裏面側には、パレット１４の幅方向に沿って、ロアケース１６Ｂの矩形凹部１８の内縁部に当接可能なストッパー６５が突出しており、該ストッパー６５が、矩形凹部１８の内縁部に当接した状態で、パレット１４は移動規制される。
【００４７】
次に、本発明の実施形態に係る化粧品ケースの作用について説明する。
【００４８】
図３（Ｂ）及び図４（Ｂ）に示すように、パレット１４をケース１６内に収納するとき、パレット１４の前面カバー４８を押圧する。これにより、ピニオン５４がラック２２に沿って移動して回転し、ギヤ５６を回転させると共に、パレット１４がケース１６内へスライド移動する。このギヤ５６の回転により、ぜんまいばね５８が巻締まり、パレット１４がケース１６から押し出される方向にギヤ５６へ回転力を付与する弾性力が蓄積される（図４（Ａ）参照）。
【００４９】
このとき、パレット１４に設けられた爪部６２は、ケース１６の内側に当接し、矩形穴６０を通じてパレット１４の内側へ押圧される。そして、パレット１４がケース１６内に収納されると、矩形穴６０内の爪部６２と長孔部３６内の釦部３８とが対向して配置されることとなるが、爪部６２が長孔部３６に到達すると、爪部６２は復元して、長孔部３６の内縁部に係止される。これにより、パレット１４はロック状態となる（図５（Ａ）参照）。
【００５０】
このように、パレット１４がケース１６内に収納された状態（パレット１４のロック状態）では、図５（Ａ）に示すように、パレット１４に設けられた爪部６２の自由端部は、ケース１６の長孔部３６の内縁部に係止されている。また、ぜんまいばね５８は巻締った状態となっており、パレット１４がケース１６から押し出される方向にギヤ５６へ回転力を付与する弾性力が蓄積された状態となっている。
【００５１】
この状態で、図５（Ｂ）に示すように、釦部３８を押圧すると、釦部３８の裏面側の突設部４４を介して爪部６２が押圧され、ケース１６の長孔部３６の内縁部から係止解除される（パレット１４のロック解除の状態）。
【００５２】
これにより、パレット１４は移動規制された状態が解除され、ぜんまいばね５８の復元力により、パレット１４がケース１６から押し出される方向へギヤ５６が回転する。このギヤ５６の回転に伴って、ピニオン５４が回転して、ラック２２に沿って移動し、該ピニオン５４を介して、図３（Ｂ）に示すように、パレット１４がケース１６から押し出される。
【００５３】
そして、パレット１４が所定位置へスライド移動すると、パレット１４の裏面側に設けられたストッパー６５（図２参照）がロアケース１６Ｂの矩形凹部１８の内縁部に当接して、パレット１４が移動規制される。この状態で、収容部１２Ａ、１２Ｂは露出し、収容部１２Ａ、１２Ｂ内の化粧剤が使用可能となる。
【００５４】
以上のように、釦部３８を押圧するだけで、パレット１４のロック状態が解除され、ぜんまいばね５８によって自動的にパレット１４がスライドしてケース１６から押し出されるため、操作が簡単であると共に、利き手に関係なく片手で操作でき、使い勝手が良い。
【００５５】
また、ぜんまいばね５８を設け、ぜんまいばね５８の一端部をギヤ５６の装着部６７に装着し、ぜんまいばね５８の他端部を、ギヤボックス５２の上ケース５２Ａに装着している。これにより、パレット１４のスライド移動によって、ラック２２を介してピニオン５４及びギヤ５６が回転し、これに伴って、ぜんまいばね５８が巻締まり、或いは巻弛みすることとなる。
【００５６】
このように、付勢手段として、ぜんまいばね５８を使用することで、例えば、コイルばねや板バネと比較して、パレット１４のストロークを増大させることができる。但し、付勢手段として、コイルばねや板バネを用いても良いのは勿論のことである。コイルばねや板バネを用いた場合、ケース１６の奥方にコイルばねや板バネの一端部を装着し、他端部をパレット１４の奥壁に装着しても良い。
【００５７】
また、ぜんまいばね５８の一端部をギヤ５６に装着することで、ピニオン５４とギヤ５６の歯面の接触によりトルクを増大させることができるため、ぜんまいばね５８の復元時に減衰力を作用させることができる。このため、パレット１４を静かにスライド移動させ、高級感を与えることができるが、必ずしもギヤ５６を設ける必要はなく、また、さらに別のギヤをピニオン５４とギヤ５６の間に噛み合わせるようにしても良い。
【００５８】
なお、本形態はあくまでも一実施例であり、本発明の主旨を逸脱しない範囲内において適宜変更可能であることは言うまでもない。
【００５９】
例えば、本形態では、ぜんまいばね５８の一端部をギヤ５６に装着し、ぜんまいばね５８の他端部を、ギヤボックス５２の上ケース５２Ａに装着したが、ピニオン５４やギヤ５６を用いない状態で、ぜんまいばね５８の一端部をパレット１４側に装着し、他端部をケース１６側に装着しても良い。この場合、ぜんまいばね５８の付勢力に対して、ピニオン５４とギヤ５６とのかみ合いによる減衰力は得られないが、パレット１４とケース１６の摺動面の摺動抵抗を上げることで減衰力を得るようにしても良い。
【００６０】
また、釦部３８を押圧することで、爪部６２を押圧したが、釦部３８のスライド移動によって爪部６２を押圧する構成としても良い。
【図面の簡単な説明】
【００６１】
【図１】本発明の実施の形態に係る化粧品ケースの斜視図である。
【図２】本発明の実施の形態に係る化粧品ケースの分解斜視図である。
【図３】本発明の実施の形態に係る化粧品ケースの平面図であり、（Ａ）はパレットがケース内に収納された状態を示し、（Ｂ）はパレットがケースから押し出された状態を示している。
【図４】（Ａ）、（Ｂ）は、本発明の実施の形態に係る化粧品ケースの平面図であり、図３の（Ａ）、（Ｂ）に対応する部分拡大図である。
【図５】本発明の実施の形態に係る化粧品ケースの横断面図であり、（Ａ）はパレットがケース内に収納された状態の釦部と爪部の関係を示し、（Ｂ）はパレットをケースから押し出すときの釦部と爪部の関係を示している。
【符号の説明】
【００６２】
１０    化粧品ケース
１２    収容部
１４    パレット
１６    ケース（携帯ケース）
２２    ラック
３６    長孔部（第１孔部、ロック手段）
３８    釦部（ロック手段）
５４    ピニオン（ギヤ）
５６    ギヤ（減速ギヤ）
５８    ぜんまいばね（付勢手段）
６０    矩形穴（第２孔部）
６２    爪部（ロック手段）
６５    ストッパー
【図１】
2007175427.tif 000003
【図２】
2007175427.tif 000004
【図３】
2007175427.tif 000005
【図４】
2007175427.tif 000006
【図５】
2007175427.tif 000007